(57)【要約】【課題】歯間への毛の進入性を高めることで、歯間に対する刷掃性の向上化を可能とする。【解決手段】電動歯ブラシ１０は、ブラシ３０が取り付けられる軸体２２と、ブラシ３０の刷掃動作のため、軸体２２を動作させる主駆動部２３と、軸体２２を偏心させる副駆動部２４とを備える。【選択図】図２
2018192036.tif 000002
【特許請求の範囲】
【請求項１】
ブラシが取り付けられる軸体と、
前記ブラシの刷掃動作のため、前記軸体を動作させる主駆動部と、
前記軸体を偏心させる副駆動部とを備える
電動歯ブラシ。
【請求項２】
前記副駆動部は、分銅付き回転モータである
請求項１に記載の電動歯ブラシ。
【請求項３】
前記主駆動部は、前記軸体を往復直線運動させるリニアアクチュエータである
請求項２に記載の電動歯ブラシ。
【請求項４】
前記分銅付き回転モータは、前記リニアアクチュエータよりも前記ブラシに近い位置に配置されている
請求項３に記載の電動歯ブラシ。
【請求項５】
前記分銅付き回転モータの回転軸は、前記リニアアクチュエータによる往復直線運動方向に対して平行に配置されている
請求項３または４に記載の電動歯ブラシ。
【請求項６】
さらに、前記分銅付き回転モータの分銅を、当該分銅付き回転モータの軸方向で押さえる押さえ部を有する
請求項５に記載の電動歯ブラシ。
【請求項７】
前記分銅付き回転モータの回転軸は、前記リニアアクチュエータによる往復直線運動方向に対して交差するように配置されている
請求項３に記載の電動歯ブラシ。
【請求項８】
さらに、前記主駆動部及び前記副駆動部を駆動するための回路部品が実装された回路基板を備え、
前記軸体の軸方向視において、前記分銅付き回転モータと前記回路基板とは、前記リニアアクチュエータを基準として、同じ側に配置されている
請求項３〜７のいずれか一項に記載の電動歯ブラシ。
【請求項９】
さらに、前記主駆動部及び前記副駆動部を駆動するための回路部品が実装された回路基板を備え、
前記軸体の軸方向視において、前記分銅付き回転モータと前記回路基板とは、前記リニアアクチュエータを基準として、反対側に配置されている
請求項３〜７のいずれか一項に記載の電動歯ブラシ。
【請求項１０】
前記分銅付き回転モータの周波数は、前記リニアアクチュエータの周波数の半分以下である
請求項３〜９のいずれか一項に記載の電動歯ブラシ。
【請求項１１】
さらに、
前記主駆動部を保持する第一保持部と、
前記副駆動部を保持する第二保持部とを備え、
前記第一保持部と前記第二保持部とは別部品である
請求項１〜１０のいずれか一項に記載の電動歯ブラシ。
【請求項１２】
さらに、前記軸体及び前記第二保持部を連結する弾性部材を備える
請求項１１に記載の電動歯ブラシ。
【発明の詳細な説明】
【技術分野】
【０００１】
本発明は、電動歯ブラシに関する。
【背景技術】
【０００２】
従来、電動歯ブラシにおいては、１本のシャフトで軸方向の往復運動と軸周り方向の往復ローリング運動との２つの動作を同時に行なうことができる電動歯ブラシが知られている（例えば特許文献１参照）。これにより、シャフトに接続された歯ブラシも、軸方向の往復運動と軸周り方向の往復ローリング運動とを同時に行うようになっている。
【先行技術文献】
【特許文献】
【０００３】
【特許文献１】特許第４２１８４１３号公報
【発明の概要】
【発明が解決しようとする課題】
【０００４】
ところで、軸方向の往復運動と、軸回り方向の往復ローリング運動とを同時に歯ブラシに行わせたとしても、歯間に対する毛の進入が不十分であり、これにより歯間の刷掃も不十分となるおそれがあった。
【０００５】
そこで、本発明は、歯間への毛の進入性を高めることで、歯間に対する刷掃性の向上化を可能とする電動歯ブラシを提供することを目的とする。
【課題を解決するための手段】
【０００６】
上記目的を達成するため、本発明の一態様に係る電動歯ブラシは、ブラシが取り付けられる軸体と、ブラシの刷掃動作のため、軸体を動作させる主駆動部と、軸体を偏心させる副駆動部とを備えている。
【発明の効果】
【０００７】
本発明によれば、歯間への毛の進入性を高めることで、歯間に対する刷掃性の向上化を可能とする電動歯ブラシを提供することができる。
【図面の簡単な説明】
【０００８】
【図１】図１は、実施の形態に係る電動歯ブラシの概略構成を示す斜視図である。
【図２】図２は、実施の形態に係る電動歯ブラシの概略構成を示す分解斜視図である。
【図３】図３は、実施の形態に係る副駆動部周りの構成を拡大して示す斜視図である。
【図４】図４は、実施の形態に係る第二保持部と、その周囲の部材との位置関係を示す模式断面図である。
【図５】図５は、副駆動部の駆動がない場合の、Ｚ軸方向視における軸体の位置を示す説明図である。
【図６】図６は、副駆動部の駆動がある場合の、Ｚ軸方向視における軸体の位置を示す説明図である。
【図７】図７は、変形例１に係る電動歯ブラシの概略構成を示す模式図である。
【図８】図８は、変形例２に係る電動歯ブラシの概略構成を示す模式図である。
【図９】図９は、変形例３に係る押さえ部の概略構成を示す模式断面図である。
【発明を実施するための形態】
【０００９】
以下では、本発明の実施の形態に係る電動歯ブラシについて、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
［電動歯ブラシ］
まず、実施の形態に係る電動歯ブラシ１０について説明する。図１は、実施の形態に係る電動歯ブラシ１０の概略構成を示す斜視図である。図２は、実施の形態に係る電動歯ブラシ１０の概略構成を示す分解斜視図である。ここで、電動歯ブラシ１０に備わる軸体２２の延設方向をＺ軸方向とする。また、Ｚ軸方向に直交する方向であって、電動歯ブラシ１０に備わるブラシ３０の延設方向をＸ軸方向とし、Ｚ軸方向及びＸ軸方向の両者に直交する方向をＹ軸方向とする。なお、使用態様によってはＺ軸方向が上下方向にならない場合も考えられるが、以下では説明の便宜のため、Ｚ軸方向を上下方向として説明する。
【００１２】
図１及び図２に示すように、電動歯ブラシ１０は、本体部２０と、本体部２０に対して交換可能に取り付けられたブラシ３０とを備えている。
【００１３】
本体部２０は、筐体２１と、軸体２２と、主駆動部２３と、副駆動部２４と、第一保持部２５と、第二保持部２６と、キャップ２７とを備えている。
【００１４】
筐体２１は、軸体２２と、主駆動部２３と、副駆動部２４と、第一保持部２５と、第二保持部２６と、キャップ２７とを収容する収容体である。具体的には、筐体２１は、ユーザにより把持される筒状の主筐体２１１と、主筐体２１１の上端部を閉ざすキャップ部２１２と、主筐体２１１の下端部を閉ざす底部２１３とを備えている。
【００１５】
主筐体２１１は、上下方向に長尺な筒体であり、その外周面に操作ボタン２１４が設けられている。キャップ部２１２は、主筐体２１１の上端部に取り付けられた際に、軸体２２を外部に突出させる開口部２１５を有している。底部２１３は、底カバー２１６と、底カバー２１６に対して外側から重なる底蓋２１７とを備えており、これらがネジ１８により主筐体２１１の下端部にネジ止めされている。
【００１６】
軸体２２は、ブラシ３０が着脱自在に取り付けられる長尺なシャフトである。具体的には、軸体２２は、上端部にブラシ３０が取り付けられており、下端部は主駆動部２３に連結されている。これにより、主駆動部２３によって発生した動力が軸体２２を介してブラシ３０に伝達されることとなる。
【００１７】
主駆動部２３は、ブラシ３０の刷掃動作のため、軸体２２を動作させる駆動部である。具体的には、主駆動部２３は、軸体２２を軸方向（Ｚ軸方向）に往復直線運動させるリニアアクチュエータである。つまり、主駆動部２３によって軸体２２が往復直線運動をすると、ブラシ３０も同様に往復直線運動をする。例えば、主駆動部２３は、数百Ｈｚの周波数、ミリオーダーの振幅で軸体２２を往復直線運動させる。一例としては、主駆動部２３は、２６０Ｈｚの周波数、１．１ｍｍの振幅で軸体２２を往復直線運動させる。また、主駆動部２３は、第一保持部２５に固定されて保持されている。
【００１８】
次に、副駆動部２４について説明する。図３は、実施の形態に係る副駆動部２４周りの構成を拡大して示す斜視図である。
【００１９】
図２及び図３に示すように、副駆動部２４は、軸体２２を偏心させる駆動部である。具体的には、副駆動部２４は分銅付き回転モータであり、本体２４１と、回転軸２４２と、分銅２４３とを備えている。分銅２４３は、本体２４１から突出した回転軸２４２に対して、偏心するように取り付けられている。副駆動部２４の周波数は、主駆動部２３の周波数の半分以下となっている。一例としては、副駆動部２４の周波数は１００Ｈｚである。また、副駆動部２４は第二保持部２６によって保持されている。つまり、副駆動部２４は、回転軸２４２を介して分銅２４３を回転することにより第二保持部２６に振動を発生させる。この振動を起因として、軸体２２はＸＹ平面にて揺動し偏心する。軸体２２の偏心については後述する。
【００２０】
図２に示すように、第一保持部２５は、主駆動部２３を保持するシャーシである。第一保持部２５は、Ｚ軸方向に長尺な部材であり、主駆動部２３以外にも、第二保持部２６、回路基板２５１、充電池２５２、受電コイル２５３などを保持する。第一保持部２５の上端部には、第二保持部２６が配置されている。第二保持部２６で保持された副駆動部２４は、第一保持部２５に対して、Ｘ軸方向プラス側に配置されている。第一保持部２５では、副駆動部２４の下方に回路基板２５１が並んで配置されている。一方、第一保持部２５におけるＸ軸方向マイナス側では、主駆動部２３と、充電池２５２と、受電コイル２５３とが上から順に並んで配置されている。換言すると、主駆動部２３に連結された軸体２２の軸方向視において、主駆動部２３を基準として、副駆動部２４と回路基板２５１とは同じ側（Ｘ軸方向プラス側）に配置されている。この逆側（Ｘ軸方向マイナス側）には、主駆動部２３と、充電池２５２と、受電コイル２５３とが配置されている。主駆動部２３は、第一保持部２５に対して例えばネジ止めなどによって固定されている。これにより、主駆動部２３と第一保持部２５との相対的な位置ズレが防止されている。
【００２１】
ここで、回路基板２５１には、主駆動部２３及び副駆動部２４を駆動するための複数の回路部品２５５が実装されている。複数の回路部品２５５には、スイッチ素子が含まれている。このスイッチ素子は、主筐体２１１の操作ボタン２１４が押下されることで、電源のＯＮ／ＯＦＦを切り替えたり、その他の回路部品２５５に制御信号を出力したりする。また、複数の回路部品２５５により、主駆動部２３用の制御回路と、副駆動部２４用の制御回路とを個別に形成することも可能である。この場合、主駆動部２３と、副駆動部２４とを独立して制御することができる。
【００２２】
受電コイル２５３は、図示しない外部の給電コイルとの電磁誘導により給電コイルからエネルギーを受け取って充電池２５２に出力する。これにより充電池２５２は蓄電する。
【００２３】
次に第二保持部２６について説明する。図４は、実施の形態に係る第二保持部２６と、その周囲の部材との位置関係を示す模式断面図である。なお、図４では主駆動部２３と副駆動部２４とは断面図で表現していない。
【００２４】
図３及び図４に示すように、第二保持部２６は、第一保持部２５に係合した状態で、副駆動部２４を保持する基台である。具体的には、第二保持部２６は、第一保持部２５とは別の部品である。第二保持部２６は、収容部２６１と、係合部２６２と、押さえ部２６３、カバー２６４とを備えている。
【００２５】
収容部２６１は、副駆動部２４を収容する一部が開放された箱状部である。具体的には、収容部２６１は、副駆動部２４の回転軸２４２が主駆動部２３の往復直線運動方向（Ｚ軸方向）と平行となるように当該副駆動部２４を収容している。収容部２６１内において、副駆動部２４は分銅２４３が上側に配置されている。収容部２６１に収容されることで、副駆動部２４は、主駆動部２３よりも軸体２２の先端部（上端部）に近い位置に配置されている。つまり、副駆動部２４は、主駆動部２３よりもブラシ３０に近い位置に配置されている。なお、主駆動部２３及び副駆動部２４のそれぞれの上端位置を基準にしてブラシ３０との距離を判断してもよいし、主駆動部２３及び副駆動部２４のそれぞれの重心位置を基準にしてブラシ３０との距離を判断してもよい。
【００２６】
係合部２６２は、収容部２６１の上端部に連結されており、第一保持部２５の上端部に係合するように、Ｘ軸方向マイナス側に向けて延設されている。係合部２６２は、Ｚ軸方向視で環状に形成されており、その内部に軸体２２が挿通されている。係合部２６２と収容部２６１とが第一保持部２５の上端部に係合している。
【００２７】
押さえ部２６３は、副駆動部２４の分銅２４３を、当該副駆動部２４の軸方向で押さえる金属製の板状部材である。具体的には、押さえ部２６３は、平面視略Ｌ字状に形成されており、その一端部が係合部２６２に固定されていて、他端部（先端部）が分銅２４３を本体２４１側に向けて押さえている。
【００２８】
カバー２６４は、収容部２６１に収容された際に、当該収容部２６１から露出した副駆動部２４を覆う部材である。具体的には、カバー２６４は、副駆動部２４の本体２４１の外周面を覆っている。
【００２９】
キャップ２７は、軸体２２と第二保持部２６とを連結する弾性部材である。具体的には、キャップ２７は、例えばゴムによってカップ状に形成されており、その中央部に貫通孔２７１が形成されている。キャップ２７の貫通孔２７１には軸体２２が挿通されて嵌合されている。これにより、キャップ２７と軸体２２とが全周にわたって密着し、水密性が維持されている。また、キャップ２７における貫通孔２７１とは反対側の端部には、第二保持部２６の係合部２６２が嵌合している。これにより、キャップ２７と係合部２６２とが全周にわたって密着し、水密性が維持されている。キャップ２７は、弾性部材であるので、軸体２２が往復直線運動したとしても、その動作に連動して変形するので、上述した水密性が継続されることになる。
【００３０】
［動作］
次に、電動歯ブラシ１０の動作について説明する。
【００３１】
ユーザによって、操作ボタン２１４が押下されると、回路基板２５１上の各回路部品２５５は、主駆動部２３と、副駆動部２４とを駆動させる。主駆動部２３が駆動すると、軸体２２はＺ軸方向の往復直線運動をして、同じ動作をブラシ３０にも行わせる。これにより、ブラシ３０はＺ軸方向の往復直線運動からなる刷掃動作を行う。
【００３２】
図５は、副駆動部２４の駆動がない場合の、Ｚ軸方向視における軸体２２の位置を示す説明図である。図５に示すように、副駆動部２４が駆動せずに主駆動部２３のみ駆動している場合においては、軸体２２は基準位置Ｐからずれずに、Ｚ軸方向に沿って往復直線運動を行うことになる。つまり、軸体２２に取り付けられたブラシ３０は、Ｘ軸方向及びＹ軸方向へはほどんど移動せずに、往復直線運動のみで歯面を刷掃する。
【００３３】
しかし、実際には、主駆動部２３とともに副駆動部２４も駆動している。副駆動部２４の分銅２４３の回転によって第二保持部２６には振動が発生し、キャップ２７を介して軸体２２に伝達する。このように、弾性部材からなるキャップ２７が伝達途中に介在しているので、振動は増幅されて軸体２２に伝わることになる。
【００３４】
図６は、副駆動部２４の駆動がある場合の、Ｚ軸方向視における軸体２２の位置を示す説明図である。図６に示すように、副駆動部２４を起因とした振動によって、軸体２２は基準位置Ｐから偏心することになる。具体的には、軸体２２は、基準位置Ｐを中心にした軌道Ｒ上を公転しながら、Ｚ軸方向に沿って往復直線運動をする。この場合、軸体２２に取り付けられたブラシ３０も軸体２２と同様の動き、つまり、Ｘ軸方向やＹ軸方向にも移動することになる。ブラシ３０がＸ軸方向に移動すると、その毛も延設方向に向けて移動するので、刷掃動作時において、歯間の中に毛が進入することになる。また、ブラシ３０がＹ軸方向に移動すると、Ｚ軸方向とＹ軸方向の動きで歯面を刷掃することになるので、刷掃面積を増やすことができる。
【００３５】
［効果など］
以上のように、本実施の形態に係る電動歯ブラシ１０は、ブラシ３０が取り付けられる軸体２２と、ブラシ３０の刷掃動作のため、軸体２２を動作させる主駆動部２３と、軸体２２を偏心させる副駆動部２４とを備えている。
【００３６】
これによれば、主駆動部２３と副駆動部２４とが同時に駆動することで、軸体２２は偏心しながらブラシ３０を刷掃動作させる。つまり、刷掃動作とは異なる方向（この場合には毛の延設方向：Ｘ軸方向）にもブラシ３０を動作させることができるので、歯間への毛の進入性を高めることができる。したがって、歯間に対する刷掃性を向上させることができる。
【００３７】
また、主駆動部２３と副駆動部２４とが別の駆動源であるので、それぞれを独立して制御することも可能である。つまり、主駆動部２３及び副駆動部２４のそれぞれの動作パターンを制御することが可能であるため、これらが組み合わさることでより複雑な動作パターンを実現することができる。したがって、ユーザの多様な好みに合う動作パターンを提供することができる。
【００３８】
また、副駆動部２４は、分銅付き回転モータである。
【００３９】
これによれば、副駆動部２４が分銅付き回転モータであるので、リニア振動モータと比べて、軸体２２を多方向に振動させることができる。したがって、刷掃動作時にブラシ３０の毛を複雑に動作させることができ、刷掃性をより高めることができる。
【００４０】
また、副駆動部２４として超音波モータを採用することも考えられるが、超音波モータであると振幅が小さいために、歯間への毛の進入性を高めることができない。このため、超音波モータよりも振幅の大きい分銅付き回転モータが、副駆動部２４として好適である。
【００４１】
また、主駆動部２３は、軸体２２を往復直線運動させるリニアアクチュエータである。
【００４２】
例えば、主駆動部２３として回転モータを採用することも考えられるが、この場合、回転モータの回転運動を往復直線運動に変換する変換機構を電動歯ブラシ１０内に設けなければならない。これは、機構の複雑さ、設置スペースの増大化、リニアアクチュエータよりも低速という点で不適切である。
【００４３】
その他に、主駆動部２３として超音波振動子を採用することも考えられるが、超音波振動子であるとリニアアクチュエータよりも振幅が小さすぎて、実感効果があまりえられないのが実状である。
【００４４】
一方、上述したように、主駆動部２３がリニアアクチュエータであれば、これ単体で高速で実感効果が得られる往復直線運動を実現することができ、省スペース化も可能である。つまり、副駆動部２４との共存性を高めつつ、高速で実感効果が得られる往復直線運動が可能となる。
【００４５】
また、分銅付き回転モータは、リニアアクチュエータよりもブラシ３０に近い位置に配置されている。
【００４６】
これによれば、分銅付き回転モータが、リニアアクチュエータよりもブラシ３０に近い位置に配置されているので、刷掃動作時に、分銅付き回転モータによる振動を軸体２２に作用させやすくなる。したがって、軸体２２の偏心量が大きくなって、より歯間に毛を進入させやすくなる。
【００４７】
また、分銅付き回転モータの回転軸２４２は、リニアアクチュエータによる往復直線運動方向に対して平行に配置されている。
【００４８】
これによれば、リニアアクチュエータによる往復直線運動方向に対して平行に、分銅付き回転モータの回転軸２４２が配置されているので、基準位置Ｐに対して軸体２２を公転させるように偏心させることができる。したがって、軸体２２に取り付けられたブラシ３０を、Ｘ軸方向やＹ軸方向にも移動させることができる。ブラシ３０がＸ軸方向に移動すると、その毛も延設方向に向けて移動するので、刷掃動作時において、歯間の中に毛が進入することになる。また、ブラシ３０がＹ軸方向に移動すると、Ｚ軸方向とＹ軸方向の動きで歯面を刷掃することになるので、刷掃面積を増やすことができる。
【００４９】
また、このようなレイアウトであれば、電動歯ブラシ１０の内部にバランスよく分銅付き回転モータを配置することができ、デザイン上の自由度を高めることも可能である。
【００５０】
また、電動歯ブラシ１０は、さらに、分銅付き回転モータの分銅２４３を、当該分銅付き回転モータの軸方向で押さえる押さえ部２６３を有する。
【００５１】
ここで、分銅付き回転モータは、軸方向のガタツキを有している場合がある。このため、リニアアクチュエータの往復直線運動方向と、分銅付き回転モータの軸方向とが平行であると、往復直線運動によって、ガタツキを起因とした異音が発生しやすい。しかしながら、押さえ部２６３が分銅２４３を軸方向で押さえていると、ガタツキ自体を抑制することができ、異音も抑制することができる。
【００５２】
また、電動歯ブラシ１０は、さらに、主駆動部２３及び副駆動部２４を駆動するための回路部品２５５が実装された回路基板２５１を備え、軸体２２の軸方向視において、分銅付き回転モータと回路基板２５１とは、リニアアクチュエータを基準として、同じ側に配置されている。
【００５３】
これによれば、分銅付き回転モータと回路基板２５１とが、リニアアクチュエータを基準として同じ側に配置されているので、分銅付き回転モータと回路基板２５１とを近接配置することができ、分銅付き回転モータと回路基板２５１との配線を容易に行うことが可能である。
【００５４】
また、分銅付き回転モータの周波数は、リニアアクチュエータの周波数の半分以下である。
【００５５】
これによれば、分銅付き回転モータの周波数が、リニアアクチュエータの周波数の半分以下であるので、これらが逆位相となることを抑制することができる。したがって、分銅付き回転モータの回転による振動が、リニアアクチュエータの往復直線運動によって打ち消されることを防止することができる。
【００５６】
また、分銅付き回転モータとリニアアクチュエータとのそれぞれの周波数に差があることで、異なる駆動が作用していることをより感じやすくすることができ、実感効果が得られやすい。
【００５７】
また、電動歯ブラシ１０は、さらに、主駆動部２３を保持する第一保持部２５と、副駆動部２４を保持する第二保持部２６とを備え、第一保持部２５と第二保持部２６とは別部品である。
【００５８】
ここで、副駆動部２４が振動させる対象は軽量であるほど、大きく振動させることが可能である。つまり、第二保持部２６が第一保持部２５とは別部品であれば、副駆動部２４が振動させる対象である第二保持部２６を軽量化しやすくなる。つまり、第二保持部２６を軽量化することで、副駆動部２４の振動を大きく第二保持部２６に伝達することができ、結果としてブラシ３０による刷掃力を高めることができる。
【００５９】
また、電動歯ブラシ１０は、さらに、軸体２２及び第二保持部２６を連結する弾性部材（キャップ２７）を備える。
【００６０】
これによれば、弾性部材が軸体２２と第二保持部２６とを連結しているので、振動の伝達経路に弾性部材が介在することとなる。したがって、弾性部材によって振動が増幅されて軸体２２に伝わることになり、刷掃力をより高めることができる。
【００６１】
［変形例１］
上記実施の形態では、分銅付き回転モータと回路基板２５１とが、リニアアクチュエータを基準として同じ側に配置されている場合を例示した。この変形例１では、別のレイアウト例について説明する。
【００６２】
図７は、変形例１に係る電動歯ブラシ１０Ａの概略構成を示す模式図である。以降の説明において、上記実施の形態と同一の部分においては、同一の符号を付してその説明を省略する場合がある。
【００６３】
図７に示すように、変形例１に係る電動歯ブラシ１０Ａにおいては、軸体２２の軸方向視において、分銅付き回転モータ（副駆動部２４）と回路基板２５１ａとが、リニアアクチュエータ（主駆動部２３）を基準として反対側に配置されている。つまり、回路基板２５１と、分銅付き回転モータとは、リニアアクチュエータを挟むように配置されている。
【００６４】
これにより、回路基板２５１ａの設置スペースを大きくすることができるので、回路基板２５１ａも大きくすることができる。したがって、回路部品の設置数やレイアウトの自由度も高まるために、ユーザビリティを高めることができる。
【００６５】
［変形例２］
上記実施の形態では、分銅付き回転モータの回転軸が、リニアアクチュエータによる往復直線運動方向に対して平行に配置されている場合を例示した。この変形例２では、別のレイアウト例について説明する。
【００６６】
図８は、変形例２に係る電動歯ブラシ１０Ｂの概略構成を示す模式図である。以降の説明において、上記実施の形態と同一の部分においては、同一の符号を付してその説明を省略する場合がある。
【００６７】
図８に示すように、変形例２に係る電動歯ブラシ１０Ｂにおいては、分銅付き回転モータ（副駆動部２４ｂ）の回転軸２４２は、リニアアクチュエータ（主駆動部２３）による往復直線運動方向に対して交差するように配置されている。具体的には、分銅付き回転モータは、回転軸２４２がＸＹ平面に対して平行となるように、第二保持部２６ｂによって保持されている。これにより、回転軸２４２は、往復直線運動方向に対して直交している。
【００６８】
上述したように、リニアアクチュエータの往復直線運動方向と、分銅付き回転モータの軸方向とが平行であると、往復直線運動によって、ガタツキを起因とした異音が発生しやすい。しかしながら、分銅付き回転モータの回転軸２４２が、往復直線運動方向に対して直交していれば、ガタツキを起因とした異音の発生を抑制することができる。したがって、押さえ部２６３を用いなくとも、異音を抑制することが可能である。
【００６９】
なお、変形例２では、往復直線運動方向に対して、回転軸２４２が直交している場合を例示しているが、回転軸２４２は往復直線運動方向に対して交差していればよい。単に交差しているだけでも、往復直線運動方向とは非平行となるので、ガタツキによる異音を抑制することができる。ただし、分銅付き回転モータの回転軸２４２が往復直線運動方向に対して直交していれば、異音抑制効果を高めることができる。
【００７０】
［変形例３］
上記実施の形態では、押さえ部２６３が金属製の板状部材である場合を例示した。押さえ部２６３が金属製であると、分銅２４３が回転することで金属同士が擦れあってしまう場合がある。これを避けるべく、この変形例３では、押さえ部における分銅２４３に触れる部分を樹脂成形品とした場合について説明する。
【００７１】
図９は、変形例３に係る押さえ部２６３ｃの概略構成を示す模式断面図である。図９に示すように押さえ部２６３ｃは、金属製の板状部材２６３１と、樹脂製の接触部材２６３２とを備えている。具体的には、接触部材２６３２は、板状部材２６３１の先端部に取り付けられており、その下端部が半球状の突起となっている。接触部材２６３２の下端部が分銅２４３に接触すると板状部材２６３１は撓んだ状態となる。この板状部材２６３１の復元力が接触部材２６３を介して分銅２４３に作用するので、分銅２４３は本体部２４１に向けて押さえられることになる。このように、変形例３に係る押さえ部２６３ｃにおいては、分銅２４３に接触する接触部材２６３が樹脂であるので、金属同士の擦れを防止することができる。
【００７２】
なお、押さえ部としては、分銅を軸方向から押さえることができるのであれば、板状部材以外の部材を用いることが可能である。その他の部材としては、例えば、バネやクッション材などが挙げられる。
【００７３】
［その他］
以上、本発明に係る電動歯ブラシについて、上記実施の形態及び変形例１、２に基づいて説明したが、本発明は、上記実施の形態及び変形例１、２に限定されるものではない。
【００７４】
例えば、上記実施の形態では、主駆動部２３としてリニアアクチュエータを例示した。しかしながら、主駆動部２３は、ブラシ３０の刷掃動作のため、軸体２２を動作させるアクチュエータであればその他のアクチュエータを用いることも可能である。ここで、上述した往復直線運動以外の刷掃動作としては、軸体２２の軸方向周りにブラシを回転させるローリング運動、ブラシ３０の頭部に対して刷毛を回転させる回転運動、刷毛を超音波振動させる超音波運動などが挙げられる。主駆動部は、これら各運動を実現可能なアクチュエータであればよい。リニアアクチュエータ以外の主駆動部としては、例えば音波モータ及び超音波モータなどのモータが挙げられる。また、主駆動部は、複数の運動を単体で実現可能なアクチュエータであってもよい。
【００７５】
また、上記実施の形態では、副駆動部２４として分銅付き回転モータを例示した。しかしながら、副駆動部２４は、軸体２２を偏心させることができるのであれば、その他のモータを用いることが可能である。例えば、その他のモータとしては、リニア振動モータなどが挙げられる。
【００７６】
また、上記実施の形態では、主駆動部２３と副駆動部２４とが同時に駆動する場合を例示した。しかし、主駆動部２３のみが駆動するモードと、主駆動部２３及び副駆動部２４とが同時に駆動するモードとを選択できるようになっていてもよい。
【００７７】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【産業上の利用可能性】
【００７８】
本発明は、ブラシが交換可能な電動歯ブラシに適用可能である。
【符号の説明】
【００７９】
１０、１０Ａ、１０Ｂ  電動歯ブラシ
１８  ネジ
２０  本体部
２１  筐体
２２  軸体
２３  主駆動部（リニアアクチュエータ）
２４、２４ｂ  副駆動部（分銅付き回転モータ）
２５  第一保持部
２６、２６ｂ  第二保持部
２７  キャップ
３０  ブラシ
２１１  主筐体
２１２  キャップ部
２１３  底部
２１４  操作ボタン
２１５  開口部
２１６  底カバー
２１７  底蓋
２４１  本体
２４２  回転軸
２４３  分銅
２５１、２５１ａ  回路基板
２５２  充電池
２５３  受電コイル
２５５  回路部品
２６１  収容部
２６２  係合部
２６３、２６３ｃ  押さえ部
２６４  カバー
２７１  貫通孔
２６３１  板状部材
２６３２  接触部材
Ｐ  基準位置
Ｒ  軌道
【図１】
2018192036.tif 000003
【図２】
2018192036.tif 000004
【図３】
2018192036.tif 000005
【図４】
2018192036.tif 000006
【図５】
2018192036.tif 000007
【図６】
2018192036.tif 000008
【図７】
2018192036.tif 000009
【図８】
2018192036.tif 000010
【図９】
2018192036.tif 000011